(57)【要約】  繊細な機器のための保護ケースが開示されている。この機器には、スクリーンインターフェースを備えた機器が含まれる。この保護ケースは、捻れ衝撃を含む、前方、後方および縁部の衝撃からの保護を提供する。【選択図】図１
2014523773.tif 000002
【特許請求の範囲】
【請求項１】
機器の保護ケースであって、
パネル内側面及びパネル外側面を備えたフレキシブルな構造パネルであって、該構造パネルの該パネル内側面及び外側面のうちの一方は延伸性材料からなり、他方は非延伸性材料からなる、構造パネルと、
前記パネル内側面に設置された少なくとも１つのフレキシブルな保持具であって、該保持具は延伸性内側材料層と非延伸性外側材料層との間に配置された速度依存性材料(rate dependent material)の層を含んでいる、保持具と、
内側カバー面、外側カバー面、並びに、対向関係にある第１カバー縁部及び第２カバー縁部を提供するカバーであって、前記第１カバー縁部で前記構造パネルに相互接続されているカバーと、
を備えてなることを特徴とする保護ケース。
【請求項２】
前記内側カバー面及び前記外側カバー面の一方または両方に提供されたロゴを更に備ええていることを特徴とする請求項１記載の保護ケース。
【請求項３】
前記カバーは延伸性材料で成ることを特徴とする請求項１記載の保護ケース。
【請求項４】
前記構造形態パネルと前記カバーとは、前記第２カバー縁部で接続されて圧縮スリーブを形成していることを特徴とする請求項３記載の保護ケース。
【請求項５】
前記カバーは、前記内側カバー面及び前記外側カバー面の一方または両方に設置された少なくとも１つのフレキシブルな保護要素を含んでおり、該少なくとも１つの保護要素は、対面する２つの層間に配置された速度依存性材料の層を含んでいることを特徴とする請求項１記載の保護ケース。
【請求項６】
前記少なくとも１つの保護要素はロゴを含んでいることを特徴とする請求項５記載の保護ケース。
【請求項７】
前記カバーは、前記第１カバー縁部において、解除可能な固定具によって前記構造パネルに解放可能に接続されていることを特徴とする請求項１記載の保護ケース。
【請求項８】
前記解除可能な固定具は、バックル、クリップ、フック・ループ型テープ、ジッパー、プラスチックジッパー、およびそれらの組み合わせ物からなる群から選択されたものであることを特徴とする請求項７記載の保護ケース。
【請求項９】
前記構造パネルと前記解除可能な固定具との間に配置されたストラップを更に備えることを特徴とする請求項７記載の保護ケース。
【請求項１０】
前記ストラップは延伸性材料製であることを特徴とする請求項９記載の保護ケース。
【請求項１１】
前記カバーは、前記内側カバー面を有した内側カバー材料層と、前記外側カバー面を有した外側カバー材料層と、前記内側カバー面及び前記外側カバー面の一方または両方に設置された少なくとも１つの保護要素とを含んでおり、
前記少なくとも１つの保護要素は、対面する２つの層間に配置された速度依存性材料の層を含んでいることを特徴とする請求項１記載の保護ケース。
【請求項１２】
前記少なくとも１つの保護要素はロゴを含んでいることを特徴とする請求項１１記載の保護ケース。
【請求項１３】
前記内側カバー面及び前記外側カバー面の一方または両方に提供されたロゴをさらに含んでいることを特徴とする請求項１１記載の保護ケース。
【請求項１４】
前記カバーの前記内側カバー材料層および前記外側カバー材料層は、少なくとも１つのポケット部を形成していることを特徴とする請求項１１記載の保護ケース。
【請求項１５】
前記少なくとも１つのポケット部に入れられた硬質パネルを更に備えてなることを特徴とする請求項１４記載の保護ケース。
【請求項１６】
前記カバーは、少なくとも２本の平行な折り畳み線を含んでおり、該カバーは該折り畳み線に沿って折り込まれてイーゼル形態を形成することを特徴とする請求項１１記載の保護ケース。
【請求項１７】
前記折り畳み線は少なくとも３つのポケット部を形成するものであり、それぞれのポケット部内に硬質パネルを更に備えてなることを特徴とする請求項１６記載の保護ケース。
【請求項１８】
前記少なくとも１つの保護要素は、前記カバーの上側縁部から下側縁部に延出していることを特徴とする請求項１７記載の保護ケース。
【請求項１９】
前記少なくとも１つの保護要素は平行に提供され、前記折り畳み線の少なくとも２本間に設置されていることを特徴とする請求項１８記載の保護ケース。
【請求項２０】
前記内側カバー材料層と前記外側カバー材料層の両方が延伸性材料製であることを特徴とする請求項１１記載の保護ケース。
【請求項２１】
前記内側カバー材料層と前記外側カバー材料層の両方が非延伸性材料製であることを特徴とする請求項１１記載の保護ケース。
【請求項２２】
前記内側カバー材料層と前記外側カバー材料層の一方が延伸性材料製であり、他方が非延伸性材料製であることを特徴とする請求項１１記載の保護ケース。
【請求項２３】
前記内側カバー材料層と前記外側カバー材料層との間に配置された速度依存性材料の層を更に備えてなることを特徴とする請求項２０記載の保護ケース。
【請求項２４】
前記構造パネルと前記カバーとはそれぞれ長さと幅を有しており、前記カバーの幅は前記構造パネルの幅よりも大きく、前記カバーは前記パネル外側面の少なくとも一部を超えて延展していることを特徴とする請求項１記載の保護ケース。
【発明の詳細な説明】
【技術分野】
【０００１】
本発明は、フレキシブルな衝撃保護ケースと、その製造法に関する。
【０００２】
［関連出願の相互参照］
本願は、本願出願人が２０１１年１０月１２日に出願した同時係属中の特許願第１３／２７１５９４号の一部継続であり、２０１１年１１月７日に出願された米国仮特許願第６１／５５６７４９の優先権を主張する。これら両出願の全体が参照により組み込まれている。
【背景技術】
【０００３】
繊細な機器、装置、あるいは器具のための保護ケースは、通常は内部または外部あるいは内外両方にパッド材を有するように設計されている。多くの場合、そのようなパッド材は、ネオプレン、フォーム材及び／又は積層材料等の保護材料の連続シートから形成される。このような保護ケースは、しばしば衝撃、振動、等々から十分な保護を提供しない。装置の保護は、さらに厚い材料の使用によって改善されるが、さらに嵩張ったり重量が増加したりするため、厚みの増加は一般的には望ましくない。加えて、増加した重量およびボリュームは、スマートな電子装置においては望ましくないことがある。なぜなら、ユーザはスリム及び／又は軽量である製品に高い価値を見出すからである。
【０００４】
多くの電子装置はユーザに対して情報を表示するために使用されるスクリーン（画面）インターフェースを有しており、使用中にスクリーン（画面）を露出することが必要である。しかし、スクリーンインターフェースはデリケートであり、落下したり衝撃が加わったりすると壊れ易い。
【０００５】
ラップトップコンピュータのごとき携帯電子機器または医療機器もスクリーンインターフェースを有しており、スクリーンインターフェースを保護するため、このような機器の多くは落下または衝撃からの保護を提供するためにヒンジ式（蝶番式）保護カバーを含む。しかし、多くの携帯電話、医療装置、およびタブレット型コンピュータまたはネットブックはそのようなカバーを含まない。従って、スクリーンまたは縁部に対する衝撃はスクリーン及び／又は機器に大きな損傷を与えることがある。さらにｉＰａｄのごとき機器によっては非常に薄くて脆く、衝撃に対する耐久性を制限されている。その結果、多くの会社は機器とは別売りのカバー、ケース、および収納殻体(shell)を製造しており、これらはいくつかの異なるカテゴリーに属する。
【０００６】
１つのタイプのケースは硬質プラスチック収納殻体であり、ゴム製またはシリコン製の内パッドまたは外パッドを含むことができる。硬質収納殻体は幾らかの保護は提供するが弱点も存在する。まず収納殻体は特定の機器に合わせたサイズと形状で作成され、機器が更新または変更される場合のごとき“次世代”機器では利用できない。さらに店舗は、たとえ同種類の機器でさえも一定範囲の機器のために複数の在庫保管ユニット（ＳＫＵ）をストックしておかなければならない。別な弱点は、たとえ柔らかい追加要素を備えていようが、このような硬質収納殻体は面部分または開いたスクリーンを落下から十分に保護することができないであろう。保護用ベゼル（受座）を含んだ機器でさえ、相当に分厚く形成されていない限り十分にエネルギーを吸収せず、スクリーン側での落下はスクリーンを破壊するかも知れない。別タイプのケースはソフトな“スキン（膜）”タイプであり、一般的にはゴム製、シリコン製または熱可塑性エラストマー（ＴＰＥ）材料製である。硬質プラスチック製の収納殻体と同様に、スキンは特定機器のサイズと形状に合わせて作成されるため“次世代”機器では利用できない。他の弱点は、それらが薄くて、小さな衝撃保護しか提供できず、擦れ保護程度しか提供しないことである。それらはスクリーン側での大きな落下や、コーナ部（角部）または縁部での落下から機器を保護せず、衝撃によって装置が湾曲したり捻られたりしても捩れ保護を提供しないであろう。
【０００７】
別タイプの保護ケースはポートフォリオ型（書類鞄型）保護ケースであり、電子機器はクリップ、弾性バンド、その他の留具で取り付けが可能である。しかし、これらのタイプの保護ケースはスクリーン側の衝撃保護を提供せず、一般的には衝撃保護をほとんど提供しない。
【０００８】
軽量であって、フレキシブルであり、向上した衝撃保護を提供することができ、特に露出されたスクリーンまたは“使用中”の機器の衝撃保護を提供することができ、１つの機器サイズには限定されず、幅広い機器サイズに利用が可能である、敏感な装置、機器、または器具のための改良された保護ケースが求められている。
【先行技術文献】
【特許文献】
【０００９】
【特許文献１】（特になし）
【発明の概要】
【課題を解決するための手段】
【００１０】
本発明は、その一実施形態では機器用の保護ケースに関する。この保護ケースは、パネル内面とパネル外面とを含んだフレキシブルな構造物形態のパネルを含む。構造物形態のパネル内面とパネル外面の一方は延伸性材料を含み、それら構造物形態のパネル内面とパネル外面の一方は非延伸性材料を含む。少なくとも１つのフレキシブルな保持具がパネル内面に提供される。その少なくとも１つのフレキシブルな保持具は、延伸性内側材料層と非延伸性外側材料層との間に配置される速度依存性材料(rate dependent material)の層を含む。
【００１１】
実施形態によっては、内側カバー面、外側カバー面、および両側に第１カバー縁部と第２カバー縁部を備えるカバーが含まれる。このカバーは第１縁部で構造物形態のパネルに接続されている。実施形態によっては、カバーはオプションの保護要素を含むことができる。実施形態によっては、カバーを閉鎖位置に維持し、保護ケースをイーゼル（懸架具）として配置させる固定具を含むことができる。
【図面の簡単な説明】
【００１２】
本発明の上述の及びその他の特徴と利点は、添付図面で示される本発明の実施例のさらに詳細な説明から明らかになるであろう。同一の部材番号は同一の部材を表している。これら図面は必ずしも実際の寸法の割合では描かれておらず、本発明の原理を明快に説明できるように誇張されている場合が含まれる。
【００１３】
【図１】図１は、本発明の１実施例による単パネルタイプの保護ケースの前方斜視図である。
【図２】図２は、図１で示す保護ケースの正面図である。
【図３】図３は、図１で示す保護ケースの背面図である。
【図４】図４は、図１で示す保護ケースの形成に使用が可能な成型パネルの１実施例を示す平面図である。
【図５】図５は、図４で示すシートの５−５線断面図であり、縫合溝の厚みを示している。
【図６】図６は、図４で示すシートの５−５線断面図であり、縫合線の幅を示している。
【図７】図７は、図１で示す保護ケースの上で示されるコーナ保持具の１つの斜視図である。
【図８】図８は、図７で示すコーナ保持具の８−８線断面図である。
【図９】図９は、図７で示すコーナ保持具の９−９線断面図である。
【図１０】図１０は、図１で示す保護ケースの前方斜視図であり、コーナ保持具によって保護ケース内で保持されている電子機器を図示している。
【図１１】図１１は、図１０で示す保護ケースと電子装置の切断側面図であり、保護ケースの湾曲状態を示しており、保護ケースの内面と電子機器の背面との間の開いた空間を図示している。
【図１２】図１２は、本発明の別実施例による片側保護ケースの前方斜視図である。
【図１３】図１３は、図１２で示す保護ケースの正面図である。
【図１４】図１４は、図１２で示す保護ケースの背面図である。
【図１５】図１５は、本発明の別実施例によるポートフォリオ型保護ケースの斜視図であり、閉じられた状態が図示されている。
【図１６】図１６は、図１５で示す開いた状態のポートフォリオ型保護ケースの斜視図である。
【図１７】図１７は、図１６で示す保護ケースの前方斜視図であり、コーナ保持具によって保護ケース内で保持されている電子機器を図示する。
【図１８】図１８は、本発明の別実施例による保護ケースが開いている状態の外部を図示する。
【図１９】図１９は、図１８で示す保護ケースが開いた状態の内部を図示する。
【図２０】図２０は、図１８で示す保護ケースの前方斜視図であり、閉じた状態を図示している。
【図２１】図２１は、図１８で示す保護ケースの前方斜視図であり、開いた状態を図示している。
【図２２】図２２は、図１８で示す保護ケースの正面図である。
【図２３】図２３は、図１８で示す保護ケースの背面図である。
【図２４】図２４は、図２１で示す保護ケースの前方斜視図であり、“内部使用中”形態を図示している。
【図２５】図２５は、ユーザの大腿部の上で使用状態である図１０で示す保護ケースの斜視図である。
【図２６】図２６は、図２１で示すイーゼル形態の保護ケースの斜視図である。
【図２７】図２７は、磁性閉鎖具を備えた本発明の別実施例による保護ケースの斜視図である。
【図２８】図２８は、図２７で示す保護ケースの斜視図であり、開いた状態の外面を図示している。
【図２９】図２９は、図２７で示す保護ケースの斜視図であり、開いた状態の内面を図示している。
【図３０】図３０は、図２７で示す保護ケースのカバー部分の３０−３０線断面図である。
【図３１】図３１は、スリーブ型である本発明の別実施例による保護ケースの斜視図であり、閉じた状態を図示している。
【図３２】図３２は、図３１の保護ケースの内部緩衝具（バンパー）のジッパー（ファスナー）取付部および形状を示す拡大概略断面図である。
【図３３】図３３は、図３１で示す保護ケースに収納された機器の拡大断面図であり、緩衝具内に置かれた機器の状態を図示している。
【発明を実施するための形態】
【００１４】
［例示的実施形態の詳細な説明］
本発明は、機器が内部に収納されて使用中であるとき、機器への完全なアクセスを許容し、機器の前面、背面および側部に対する衝撃から機器を保護する保護ケースに関する。この保護ケースは、数多くの電子機器および医療機器に見られるようなスクリーンインターフェースを備えた機器のために改善された保護を提供する。
【００１５】
この保護ケースは軽量であり、フレキシブルであり、特に露出したスクリーンまたは“収納利用”機器の改善された衝撃保護を提供する。この保護ケースは機器のコーナ部や縁部を保護し、衝撃によって機器が捩れたり曲がったりすることから機器を保護する捩れ保護を提供する。さらに保護ケースは、そのフレキシブルな構造のため、１つの特定サイズだけに限定したものではなく、一定範囲の機器サイズに対しても利用が可能である。保護ケースはまた、そのフレキシブルな性質によって保持や運搬にも快適になっている。保護ケースはフレキシブルな性質のおかげで膝ボード（ニーボード）や他の身体取付具においても快適に使用できる。
【００１６】
保護ケースは幅広い形状の機器を収納できるという別な利点も有する。従って保護ケースは、楽器、ワインおよび酒類の瓶、クリスタル、等々のごとき保護を必要とする全てのタイプの脆い機器または物品（以降、まとめて“機器”）を保護するようにデザインおよび使用ができる。
【００１７】
本発明の保護ケースと製法は、改善された衝撃保護を提供し、軽量および小型であり、向上した美観、製造コスト削減、向上したフィット感、および収納された物品（機器）の摩擦の減少を提供する。さらに場合によっては保護ケースを衛生ケースとすべく、洗浄が可能で高温に耐え、商業的洗濯に使用される苛性薬品に対する耐久性を持つように設計することができる。
【００１８】
図１から図１１は全体として本発明の１実施例による例示的保護ケースを示す。図示するように保護ケース１０は、周囲縁部“Ｐ”と、対面する前面部１２と後面部１４を含み、それぞれ前面１２ａと後面１４ａを有している。保持具３０はパネル２０のそれぞれのコーナ部内に配置されている（以降“コーナ保持具３０”）。この実施例ではコーナ保持具３０はそれぞれ実質的に三角形であり、保護ケース１０のコーナ部に配置される。しかしこの分野の通常技術者であればコーナ保持具が三角形を有する必然性はなく、任意の大きさ、形状、位置、及び／又は形態の保護具であってもよく、保持具を別の箇所に配置することもできることを理解するであろう。たとえば保持具３０の別な形態では、保護ケース１０の周囲に延伸し、保護ケース内に保護具を維持するのに十分な幅で周縁部から内側に広がるベゼル（図示せず）のような形状の１つの保持具を含むこともできる。別の実施例では１以上の保持具３０を側辺、例えば４つの側辺のそれぞれに配置することが可能であり、あるいは側辺に沿って複数のポイントに配置させることもでき、またはコーナと側辺を組み合わせて配置させることもできる。保持具は、ポート部、コントロール部およびスクリーン領域に対するアクセスを妨害することなく提供し、機器をグリップする（掴む）ように配置できる。
【００１９】
さらに、およびオプションで、機能的理由と美観的理由でバインディング（締め具）４０を保護ケース１０の周囲に提供することができる。
【００２０】
保護ケース１０は、収納機器の様々な機能具に対する、及び／又は充電器、オーディオポート、カメラレンズ、等々である外部機器に対するアクセスを提供するために複数のアクセスポートを含むことができる。このアクセスポートは、商用電子機器で見られるような特徴部の位置に対応するように所望する任意の位置に配置できる。この実施例の場合には、保護ケース１０は、コーナ保持具３０の１つを通って延伸するオーディオポート５０と、パネル２０を通って延伸するカメラポート６０とを含む。カメラポート６０は保護ケース内に形成された平坦な隆起台パッド６５に設置できる。これは使用時に機器の裏側に押し当てられるようにデザインされている。望むなら、カメラポート６０は断片がカメラポートに入ることを最少化あるいは排除するようにカメラポート内に一体化された膜体（図示せず）を含むことができる。また望むなら、パッド６５は膜体を受領するためにカメラポート６５の周囲に配置された凹状領域（図示せず）を含むことができる。これは、例えば、溶着等でパッドに取り付けが可能である。膜体が使用される場合には、洗濯に対して耐久性がある非黄化性の光学膜体を使用することが望ましい。
【００２１】
あるいは、または追加的に、様々な機能の機器を露出し、それらへのアクセスを提供するため、バインディングを含んだ保護ケースの縁部は可撓性である。これは重要な特徴である。なぜなら保護ケースの縁部（バインディング有り／無し）は速度依存性フォーム(rate dependent foam)を含み、使用時に機器の縁部を完全に保護した状態にしておくが、例えば充電ケーブル等を容易に収容できるように曲げることができるか、あるいは折り畳むことが可能である。
【００２２】
パネル２０は様々な材料で形成できる。パネルの適した材料と製法は米国特許公開２００７／０２６１２７４、２００８／００３６１４、２００９／０２５５６２５において開示されている。これらの出願はパネルや保持具の成型に利用できる方法を開示しており、パネルや保持具の型は、溝内のフォーム材を最少化し、または排除するのに適した条件下で層体を重ねてプレスし、同時に、化学接着剤または加熱溶着あるいは両方で層体を接着するようにデザインできる。
【００２３】
実施例によっては、パネル２０は構造形態の材料を含むことができ、追加的に異なる美観および機能特性を備え、特定の利用形態またはデザインのために必要あるいは望ましいように変えられる様々な材料の１以上の層体を含むことができる。
【００２４】
ここで使用する“構造形態の材料”（構造材料）とは、所定の形状に成型できる十分な構造的安定性を提供でき、保護ケースに安定構造を提供できるよう、重量に対する十分な強度を有し、使用される環境に対して耐久性を有する材料のことである。
【００２５】
構造形態の材料には、限定はしないが、フォーム状ポリマー材料も含まれるポリマー材料、複合材料、等々である多様な材料が含まれる。１例としては、構造形態の材料には速度依存性材料(rate dependent material)が含まれる。速度依存性材料の例には、限定はしないが、ｄ３ＯおよびポロンＸＲＤが含まれる。例示的な構造形態の材料は、ロジャーズコーポレーション製の速度依存性フォーム“ＰｏｒｏｎＸＲＤ”である。この実施例ではＰｏｒｏｎＸＲＤフォームの密度は約１から約４０ポンド／立方フィート（ｐｃｆ）であり、さらに好適には、約５から約３０ｐｃｆであり、さらに好適には約１から約２５ｐｃｆであり、さらに好適には約１５から２５ｐｃｆである。
【００２６】
構造形態の材料は、限定はしないが合成材料及び／又は非合成材料を含む他の材料（他の材料は、限定はしないが、紙、布、金属、金属化プラスチック、プラスチックフィルム、金属箔、及び／又はそれらの類似物、並びにそれらの複合材料、積層材料、及び／又はそれらの少なくとも１つが含まれる材料の組み合わせ物を含む）と組み合わせて成型または共成型することができる。他の適した材料には、限定はしないが、布、皮、ビニール、複合材、それらの積層物、及び／又はそれらの少なくとも１つを含んだ組み合わせ物が含まれる。布が使用される場合には、合成布または非合成布、編布、織布、不織布、積層布、およびこれらの少なくとも１つを含んだ組み合わせ布でよい。これら任意の材料を積層し、及び／又はそれらの片面または両面にコーティングし、撥水等の所望の機能的あるいは美観的特徴を付与することができる。
【００２７】
パネルまたはパネルの一部が延伸することが必要であるなら、延伸性材料の使用が望ましいであろう。従って、実施例によっては延伸性材料と構造形態の材料とを組み合わせるか共成型することが望ましいであろう。なぜなら、延伸性材料は保護ケースの屈曲性を改善し、撥水性、通気性、通水性、および滑り止め性能が望まれる場合には望ましいであろう表面張力の向上のごとき他の望ましい特性を付与する。例えば、向上した通気性が望まれるときには、延伸性材料はメッシュ加工される。ここで使用する“延伸性材料”とは、曲げられたり、引き伸ばされたり、圧縮されたり、その他の変形後にそのオリジナル形状またはオリジナル位置に復元可能であり、材料または保護ケースの成型に使用される方法に対して耐久性があり、使用環境に対しても耐久性がある任意の成型可能な材料のことである。
【００２８】
適した延伸性材料の別例には、限定はしないが、ＴＰＥフィルム及び／又はコーティング、その複合物、その積層物、およびそれらの組み合わせが含まれた任意の延伸性基材が含まれる。ポリエステルおよびポリエーテル熱可塑性ポリウレタン（ＴＰＵ）が単独での使用あるいは積層形態での使用に適していることが分かっている。１つの例示的材料は、バイエルが製造販売するポリエステル熱可塑性ポリウレタン（ＴＰＵ）（ＰＳ５４００という商品名で販売）である。適したフィルム厚は約１ミリ−インチ（ミル）から約１５ミルであり、好適には約２ミルから約１０ミル、さらに好適には約３ミルから約７ミルである。しかし増加した耐久性が望まれるならフィルム厚は、例えば、１５ミルから６０ミルに増加でき、成型後のフィルムの特性および性能によってのみ限定される。積層形態で使用されるときには、フィルムを基材に積層する強度特性と摩擦特性とが向上するので、フィルム厚を減少させることが可能である。延伸基材（丸編み、またはライクラファブリック等）に積層されるときには、利用形態によっては約１ミル以下のＴＰＥフィルム厚でも容易に利用できる。
【００２９】
適した延伸性材料の他の例には、限定はしないが、合成および非合成ニット、織布および不織布、それらの複合材料、それらの積層材料、およびそれらの組み合わせが含まれる。適した布の例には、スパンデックス、ライクラ、およびドルラスタンとしても知られるエラスタンのごとき繊維が含まれた布が含まれる。この繊維は、エラスタン繊維を非延伸性糸（天然または合成）で包むか、他の繊維で製造された布内に加工されるか、あるいは織り込まれた純粋エラスタン糸を使用することによって布に含まれると、布のタイプと最終利用形態により、布に含まれる割合に応じた様々な程度の弾性度を提供するであろう。例えば、衣類をその形状に維持するには約２％が十分であろう。一方、運動選手用の着衣、下着、およびスポーツウェアのごときものの圧迫形態には、約４０％までのエラスチン、あるいは望むならそれ以上のエラスチンを含むことができる。
【００３０】
他の適した延伸性材料の例には、前記した合成および非合成編布、織布および不織布、それらの複合物、それらの積層物、およびそれらの組み合わせ物が含まれ、ＴＰＥフィルム及び／又はコーティング、それらの複合物、それらの積層物、およびそれらの組み合わせ物が含まれる。
【００３１】
パネルまたはパネルの一部がさらに高い硬質性または圧迫性能を必要とするなら、構造形態材料を非延伸性材料と組み合わせるか、比較的に小さい延伸性の材料と組み合わせることができる。非延伸性材料の例には、限定はしないが不織布材料が含まれ、これには不織布、皮、織布、例えば、バリスティック布等が含まれる。このような材料の例には、限定はしないが、補強および非補強ポリエステル、ナイロン、レーヨン、ポリアミド（例：アラミドおよびパラアラミド）等々およびこれらの組み合わせ物が含まれる。例としては、コルデュラ、ケブラー、トワロン、スペクトラ、ザイロン、それらのリップストップ織物、およびそれらの組み合わせ物が含まれる。適したバリスティック材料は、ロッキーウッズ社（コロラド州ラブランド、トストリートＳＥ、８番地、４１８号）が販売する織布１６８０デニールバリスティックナイロンであり、約１２オンス／平方ヤード（ｏｚ/ｙｄ２）の重量を有した布、約１から１．２５ｏｚ/ｙｄ２のポリウレタンコーティングを耐水のために片面処理し、耐久性の耐水撥水性（ＤＷＲ）仕上げ加工が他面に施されたものが存在する。他の適した材料には、１０５０バリスティックナイロンとコルデュラが含まれ。これら両方はポリウレタンコーティング及び／又はＤＷＲ処理されたものか、されてないものであり、ロックウッズおよびブルックウッドロールグッズグループ（コネチカット州、ワウレガン、プットナムロード、２７５番）から入手できる。大きな湿気抵抗性と湿気耐久性が提供できるように、これらの布上にはポリウレタンコーティングが２．０ｏｚ/ｙｄ２以上施されて、さらに強力であることが望ましい。さらに、これら布上のＴＰＥ層は水抵抗性をさらに増強するであろう。
【００３２】
１実施例では、パネル２０は構造形態材料の層（以降“構造層”）と、構造層に隣接する延伸性材料の層（以降“延伸層”）とを含む。この実施例では、保護ケースの内面（前面）１２ａが、保護ケース内に収容された電気具を“グリップ（掴持）”する延伸材料で形成されることが望ましい。
【００３３】
別実施例では、パネル２０は対面する延伸層間に配置された構造層を含むことができる。この実施例では保護ケースの内面１２ａおよび外面（後面）１４ａが、保護ケース内に入れられた（電子）機器を“グリップ”し、使用中の機器が配置されるか保持される表面もグリップする延伸材料で形成されることが望ましい。
【００３４】
コーナ保持具３０は、上述したようにパネル２０に使用される材料のどれでも含むことができる。コーナ保持具のサムプリント側が、保護ケースに入れられた機器を“グリップ”する材料で形成されることが望ましい。従って、コーナ部材は、機器に面するコーナ保持具の表面に、いくらかの“グリップ”特性を有するＴＰＵまたは他のフィルムまたは材料を含むことができる。ＴＰＵは様々な機器をグリップするのに適していることが発見されているが、シリコンまたは任意のＴＰＥあるいは可能な布または皮もそのようなグリップ特性を有するであろう。１つの例示的材料は、バイエル社製のポリエステルＴＰＵ（ＰＳ５４００）である。他のポリエステルＴＰＵでも容易に使用でき、任意のＴＰＵまたはＴＰＥであっても良好な選択であり得る。適したフィルム厚は約１ミリ−インチ（ミル）から約１５ミルであり、好適には約２ミルから約１０ミルであり、特に好適には約３ミルから約７ミルである。
【００３５】
オプションのバインディング４０は上述のごときパネル２０に使用される任意の材料を含むことができる。しかし、縁部をＤＷＲまたは他の任意の摩擦抵抗性および汚染抵抗性または防水性材料を有したバリスティックナイロンあるいはコーデュラで巻き、耐久性と防水性とを提供することが望ましいであろう。
【００３６】
１つの例示パネル２０は図４から図６にかけて示されている。この実施例では複合パネル２０は、機器の周囲を超えて延出する縁部保護部を有するために保護対象機器よりも大きなサイズとなっている。図示のようにパネル２０は成型された多層構造物を含んでおり、非延伸性内側層（前面部）１２と延伸性外側層（後面部）１４との間に配置された構造層を含む。
【００３７】
多数の実施例においてパネルは、前述したように厚みが大きな領域と小さな領域とを備えた“凹凸メダル型”とすることができるが、必ずしもそうする必要はない。しかし、非常に薄く、または“略ゼロである”フォーム厚の領域を含むことはケースのフレキシビリティを改善し、フォームの層剥離を最小化または防止して耐久性を向上させる。ほぼゼロ厚の領域は屈曲性を付与するが、このことは、その部分を圧迫状態で縫合することで余裕がある電子装置のサイズを収容させるときに特に役立つであろう。このような領域は、独立気泡構造体が湿気や汚染が通過するのを防止または最小化するので、略ゼロフォーム厚によって完全に包囲された領域を湿気または汚染から防護する。これら略ゼロ厚領域は、溶着用の熱を吸収または妨害する気泡構造がなくとも容易に溶着できるため、領域の加熱封止処理がさらに容易になる。前記したように、このことはカメラ穴上のフィルムまたは他の透明材料の封止、またはパネルをさらに防水性が高い構造とするための縁部封止に役立つであろう。縁部周囲の略ゼロ厚領域は洗濯に対してさらに耐久性が高い構造物を提供する。
【００３８】
パネル２０は、シートの周縁部２４から離れて全体的に延伸するオプションの溝部２２も含んでいる。もし保持具及び／又はオプションのバインディングが縫合によって取り付けられるなら、このような溝部を含むことは有利であろう。溝部２２は周縁部に隣接したバンパー部分２６を形成しており、前述したようにバンパー部分はバインディング材料内に封入することができる。溝部２２は幅Ｗ１と厚みＴ１とを有しており、バンパー部分２６は厚みＴ２と幅Ｗ２とを有している。専門家であれば、これら厚みや幅は任意に選択できることを理解しよう。例えば、幅Ｗ１は縫合工具が収容でき、縫合のために十分薄いが、縫合作業による欠陥を最小化または防止するように十分に厚く選択される。例えばコーナ保持具３０と縫合されたときにさらに大きなバンパー部分を形成するように、約０．０３０インチの厚みＴ１と、約０．１２５インチのバンパー部分の厚みＴ２が適していることが発見されている。
【００３９】
この実施例では、パネル２０とコーナ保持具３０は縫合線に沿って互いに縫合され、保護ケース内の機器のための支持及び保護の縁部またはバンパー部分を形成している。
【００４０】
図７から図９は１実施例によるコーナ保持具３０の拡大図を図示する。この保持具は、２つの側部３０ａと３０ｂから離れて周囲に延伸するオプションの溝部２２も含んでいる。もし保持具及び／又はオプションのバインディングが縫合によってパネルに取り付けられるなら、そのような溝部を含むことが好都合である。溝部２２は保護具３０の縁部３０ａと３０ｂに隣接するバンパー部分２６を提供する。溝部２２は幅Ｗ１と厚みＴ１とを有しており、バンパー部分２６は厚みＴ２と幅Ｗ２とを有している。専門家であれば、これら厚みや幅は望むように選択できることを理解しよう。例えば、幅Ｗ１は縫合工具を収容するのに十分な大きさで、縫合のために十分に薄いが、縫合作業からの欠陥を最小化または防止するために十分に厚く選択することができる。例えば、パネル２０と同じ厚み、および幅が適していることが発見されている。
【００４１】
コーナ保持具３０は、特にスクリーンインターフェースを含んでいるときには、衝撃から機器を保護することができるように十分な厚みを有している。保持具は約０．０４０インチから約０．５００インチ、好適には約０．１００インチから約０．３５０インチ、さらに好適には約０．１５０インチから約０．３００インチの厚みを有することができる。
【００４２】
コーナ保持具３０は、製造時および使用時の応力解放のためのノッチ３４と窪領域３８とをさらに含む。この実施例では窪領域３８は凹状またはサムプリント形状を有し、機器を保護ケース内に挿入する際の手助けを行う。窪領域の存在は機器が保護ケース内に配置されたときに機器及び／又はスクリーン表面の露出を最小化することもできる。このことは、存在しない場合には保持具３０の下側に隠れであろう機能キーに対するアクセスに有利である。保持具のための厚みの増加または減少は機器および保持具３０の下側のスクリーンの露出程度を変えるであろう。例えば、機器の露出は、領域３１における保持具のための厚みＴ３を増加させることで増加させることが可能である。これで使用中に窪領域を保持具からさらに離れさせる。
【００４３】
コーナ部は美観のため、および指で機器を取り出したり収容したりさせるアクセスを提供するために図示のように立体形状化されている。コーナ部の縫合縁部の方向での厚みの最大化は、機器をコーナ部または縁部側にあまりスライドさせないようにするためである。図示するようにフィルムに対象物全体を包ませることが望ましいであろう。コーナ保持具の窪領域は保護が必要なコーナ部に大きな厚みを提供するが、機器の挿入と、スクリーン全領域に接触するコーナ保持具の下側のアクセスのためのフレキシビリティも提供する。コーナ保持具の窪領域は必須ではないが場合によっては有利である。なぜなら、それら領域は、コーナ保持具の厚みを含んだ寸法を最大化させるからである。コーナ保持具の寸法が増加するに連れて、特に縫合縁部に最も近い領域の厚みが増加するに連れて、機器を保護ケース内で“ロック”させる保持具の性能は増強され、多様なサイズの機器を収容する能力が提供される。コーナ保持具の厚領域は合理性のある範囲の機器の異なるサイズをグリップするように圧迫できる。
【００４４】
専門家であれば、溝部、バンパー部分、窪領域およびノッチは、保持具３０のパネル２０への取り付けを容易化するのに望ましいこと、および必要な任意のサイズ、形状及び／又は形態でよいことを理解するであろう。さらに、製造時および使用時に追加のフレキシビリティを提供するために保持具に追加のノッチを含ませることが望ましいであろう。
【００４５】
機器をロックする成型されたフォームのコーナ部としたことによって、成型されたパネルとフランジ縁部を縫合している拘束フォームは、実質的に全てのタイプまたは方向の落下から機器を保護することができる保護ケースを提供することができる。機器の横方向移動は制限される。なぜなら、機器はコーナ保持具によって固定されているからである。コーナ保持具はスクリーン側での落下の衝撃を吸収する。なぜなら、その厚みがスクリーンを衝撃面から離しているからである。成型されたパネルの裏側もエネルギーを吸収する。コーナ保持具の窪領域はその領域でスクリーン上方に上昇しており、薄く形成されているが、衝撃時にその領域のフレキシビリティによってエネルギーを吸収する能力を有しているために追加の保護を提供することもできる。
【００４６】
保護ケース１０の構築は、保持具３０を実質的に方形である複合パネル２０に取り付ける作業を含む。保持具３０は様々な技術によって、例えば、限定はしないが、縫合、接着、溶着またはそれらの組み合わせによってパネル２０に取り付けることができる。実施形態によっては、保持具３０は圧迫状態でパネル２０に取り付けられ、パネル２０が凹形状を有するようにすることができる。組み立てられると保持具３０は“グリップ”面がｉＰａｄに隣接するように配置される。この凹形状に縫合されたとき、複合パネルのためのコルデュラまたはバリスティックナイロン布のごとき比較的に非延伸性である材料または他の非延伸性材料は、繊細な機器のために捩れ保護または捻り保護を提供するユニークな相助効果を有する。使用時に、コーナ保持具に対し、相当程度の圧迫力と押力の下で機器は凹状非延伸性構造部内に挿入される。その結果、機器自体に非延伸性布構造物の圧力による追加の捩れ安定性が提供され、非延伸性パネルの圧迫力によって開いたスクリーン側に向かって前方に撓むことが制約される。よって、フレキシブルな保護ケースの構造は衝撃時に驚嘆すべき捩れ保護または捻り保護を提供する。コーナ保持具のフォーム厚は異なる寸法の機器を着実にグリップさせる。
【００４７】
オプションのバインディング４０はパネル２０の周囲に配置され、パネル２０上の溝部とコーナ保持具３０を少々越えて延出する。オプションのバインディング４０は多様な技術によって、例えば、限定はしないが、縫合、接着、溶着またはそれらの組み合わせによって取り付けられる。
【００４８】
この実施例では、内面１２ａが保護ケースに収容された機器を“グリップ”する延伸性材料で形成され、保護ケースの外面１４ａは、意図する使用形態において改善された摩擦抵抗性及び／又は高強度及び／又はスライド特性を提供できる非延伸性材料により形成されるのが望ましい。もしバリスティック布がパネル２０と共成型できなければ、限定はしないが、縫合、接着、溶着、等々の様々な取り付け技術によって布を外面に取り付けることができる。
【００４９】
オプションのバインディング４０を含んだこの実施例では、バインディングは縫合によって取り付けられる。従って、パネル２０および保持具３０の構造物はそれぞれ縫合溝部を含み、バインディングはパネルの周囲に配置され、保持具がパネルに取り付けられた後にパネルの縁部で折り曲げられる。その後にバインディングは縫合線に沿って全層を通してパネルに縫合される。
【００５０】
図１０と図１１は、保護ケース内に入れられた電子機器７０（以降“機器７０”）の斜視図と断面図であり、機器７０の充電プラグは保護ケース１０の対応するオーディオポート５０に対して露出され、機器７０の裏側のカメラレンズは対応するオーディオポート５０に対して露出されている。図示のごとく、機器７０は保護ケース１０内に配置され、コーナ保持具３０は機器７０のそれぞれ対応するコーナ部に配置される。保持具３０は保護ケース１０の内面と組み合わされて保護ケース１０内で機器７０を“グリップ”または保持する。この実施例では、コーナ保持具３０は圧迫状態にあり、パネル２０は図１１で示すように凹状に強制変形される。パネル２０の凹状変形の結果、スペーサ領域“Ｓ”が機器７０の裏面と保護ケース１０の前面との間に形成される。スペースＳは有用である。なぜなら、それは放熱を提供し、保存スペースを提供し、スピーカから放出される音波が消音または抑圧されることを最少化または防止するからである。この保護ケースはそのまま使用するか、運搬およびスクリーンの完全保護のためにスリーブ内に置かれる。
【００５１】
図１２から図１４では、本発明の例示的保護ケース１００の別実施例を示す。この実施例では、パネル２０は成型された多層構造物を含んでおり、これは非延伸性内側層（前面部）１２と延伸性外側層（後面部）１４との間に配置された構造層を含んでいる。従って、この実施例では、保護ケースの表面と、保護ケースに挿入されると機器に接触するコーナ保持具の表面は“グリップ”面を有し、保護ケース内の機器の保持を助ける。
【００５２】
この実施例では、保護ケースは、前述の実施例のようにコーナ保持具３０が圧迫状態であり、パネルを図１１で示すような凹形状に強制変形するように構築されている。保護ケースはそのまま使用するか、運搬とスクリーンの完全保護のためにスリーブ内に入れて使用することができる。
【００５３】
図１５から図１７は、本発明の例示的ポートフォリオ型保護ケース２００の１実施例を示す。このポートフォリオ形態は運搬中にスクリーン保護を提供するが、屋内での使用では必須ではないであろう。前述の実施例と同じ材料および構築方法がこの保護ケースの構築に利用できる。
【００５４】
図示のごとく、保護ケース２００は保持パネル２０２とカバーパネル２０４とを含んでいる。それぞれは外側縁部にオプションのバインディング４０を含んでいる。この実施例ではカバーパネル２０４は様々な取り付け方法を用いてパネル２０２に取り付けられる。この実施例ではパネル２０２と２０４は同一サイズで同一形状であり、縁部に沿って縫合あるいはヒンジ（蝶番）（図示せず）のごとき仲介具によって互いに取り付けられている。
【００５５】
この実施例では、パネル２０２は保護ケース１００と同一構造であり、縁周部“Ｐ”と、対面する前面部１２および後面部１４を含んでいる。それらはそれぞれ前面１２ａと後面１４ａとを有し、保持具３０はパネル２０のそれぞれのコーナ部に配置されている（以降“コーナ保持具３０”）。ここで開示されている他の実施例では保持具３０はそれぞれ実質的に三角形状であり、保護ケース１０のコーナ部に配置されている。
【００５６】
図示するように、保護ケース２００はジッパー閉鎖部２５を含むが、例えばフック・ループ式テープ、防水及び／又は気体抵抗型ジッパー、プラスチックジッパー（例：ジップ・ロック型）、ピローフラップ型閉鎖部、あるいは任意の他の閉鎖方法のごとき別タイプの閉鎖部であっても利用できる。ジッパー閉鎖部２５は、ジッパー歯に隣接させて縫合線に沿って縫合することでパネルの外側縁部に取り付けることができ、閉鎖部の端部のパネルは縫合作業からの欠陥を最少化または防止するために十分な厚みを有し、ジッパー領域で保護を提供するのに十分な厚みである。ポートフォリオ型保護ケースはジッパー縁部を利用するが、その上部は、限定はしないが、例えばベルト、ベルクロテープ、磁石、クリップ、等々の他の固定具によって取り付けることができる。
【００５７】
保護ケースは縫合によって構築できるが、さらに強力な防水性が望まれる場合には、縫合は加熱封止、接着、溶着等に変更できる。
【００５８】
望むなら、カバーパネル２０４はライナー（裏地）２３を含むことができる。これは、例えば、縫合によってパネル２０４の内側面に取り付けられる。カバーパネル２０４はライナー２３と同じ材料で形成されるポケット部２５も含むことができる。望むなら、パネル２０４は追加のポケット部または受領部を、紙、筆記用具、携帯電話、充電器、等々のために含むことができる。
【００５９】
保護ケース２００はライナーとパネル２０４との間に配置されるオプションのインサート（非図示）を含むことができる。これは任意の硬質材料、または硬質材料が関与するか、自身が十分に硬質である、好適には比較的に軽量の硬質衝撃抵抗性プラスチック、例えば、ポリカーボネート、アクリロニトリルブタジエンスチレン（“ＡＢＳ”）、ポリ塩化ビニル（“ＰＶＣ”），ポリプロピレン（“ＰＰ”）、それらの積層体、それらの複合体、およびそれらの組み合わせである複合構造体を含むことができる。
【００６０】
オプションのバインディング４０はパネルの周縁部に沿って提供され、パネルとコーナ保持具の縫合溝部を少々越えて延出する。
【００６１】
通常レベルの専門家であれば、任意の軽量、硬質、衝撃抵抗性材料が保護ケースの剛質支持構造体として利用できることを理解しよう。オプションでは、保護ケースの剛質材料はその長さと幅を、保護ケース内に収納される機器のものよりも長くし、機器の縁部のためにさらなる縁部保護を提供するようにデザインできる。
【００６２】
図１７は保護ケース２００に入れられた機器７０の斜視図である。機器７０の充電プラグは保護ケース１０の対応するオーディオポート５０に対して露出されている。図示するように、機器７０は保護ケース１０内に収容され、コーナ保持具３０は機器７０の対応するコーナ部に配置される。保持具３０は保護ケース１０の内側面と共に保護ケース１０内の機器７０を“グリップ”または保持する。
【００６３】
図１８から図２３は全体として本発明の例示的“収納利用”型保護ケース４００の１実施例を示す。この収納利用型保護ケースは運搬時のスクリーン保護を提供し、様々な形態に形態化でき、例えばキーボードとして利用できる。前述の実施例と同一材料および構築方法がこの保護ケースの構築に利用できる。
【００６４】
図示のように、保護ケース４００は保持パネル４０２とカバーパネル４０４とを含んでいる。これらのそれぞれは外側縁部にオプションのバインディング４０を含んでいる。この実施例ではカバーパネル４０４は仲介ヒンジ具９０によってパネル４０２に取り付けられている。図示のように、カバーパネル４０４は３本の折り畳み線４１０を含んでいる。
【００６５】
カバーパネル４０２はオプションのライナー（図示せず）も含むことができる。これは、例えば縫合によってパネル４０２の内面に取り付けられる。望むなら、パネル４０２は、紙、筆記具、携帯電話、充電器、等用のための追加のポケット部あるいは受領部も含むことができる。
【００６６】
カバーパネル４０２は少なくとも１つのオプションの保護要素４２０も含むことができる。保護要素４２０はライナー材料と共成型でき、あるいは別々に成型でき、例えば縫合、接着、溶着、等々の多様な技術によってライナーに取り付けることができる。この実施例は、パネル４０２の対向縁部間で延伸する１つの方形保護要素４２０を含む。これは２本の折り畳み線４１０間でライナーに縫合されている。
【００６７】
保護ケース４００は１以上のオプションのインサート（図示せず）も含むことができる。この実施例では、パネル４０２は、折り畳み線４１０に沿ったライナーの縫合によって作成されたポケット部（図示せず）に入れられた３つのオプションのインサート（図示せず）を含むことができる。オプションのインサートは前述したように任意の比較的に軽い硬質衝撃抵抗性材料を含むことができる。
【００６８】
この実施例では、パネル４０２は保護ケース１００と構造が同一であり、周縁部“Ｐ”および、それぞれ前面１２ａと後面１４ａに対応する対面する前面部１２と後面部１４とを含む。保持具３０はパネル２０のそれぞれのコーナ部に配置されている（以降“コーナ保持具３０”）。他の実施例と同様に、保持具３０はそれぞれ実質的に三角形であり、保護ケース１０のコーナ部に配置されている。
【００６９】
この実施例では、この発明の保護ケースは少なくとも１つの固定具を含み、非使用時にはカバーを閉鎖位置に維持する。例えば、保護ケース４００は保護ケースを閉じるのに使用される２つの相互接続可能な固定具７５と７７を含む。使用時には、閉じたときにバックルが２つの縁部を挟む。固定具７５は、保護ケースの対面する外側面に取り付けられたウェブ７５ｓを含み、対応するクイックリリース式バックル型固定具７５ａと７５ｂがウェブ７５ｓの端部に取り付けられている。同様に、固定具７７は、保護ケースの対面する外側面に取り付けられたウェブ７７ｓを含み、対応するクイックリリース式固定具７７ａと７７ｂがウェブ７７ｓの端部に取り付けられている。この実施例では、ウェブは保護ケース本体に縫合によって取り付けられているが、通常技術者であれば、多様な他の取り付け方法であっても利用が可能であることを理解するであろう。この保護ケースはバックル型閉鎖部を含むが、通常技術者であれば、ジッパー、ベルクロテープ、磁石、クリップ、等々の多様な他の閉鎖手段であってもバックル型閉鎖部に代えて、あるいは追加的に利用できることを理解するであろう。
【００７０】
図２４は、外側面が内側に面し、機器７０が保護ケース内に入れられた状態の収納利用形態の保護ケース４００の斜視図である。図示のように機器７０は保護ケース４００内に収められ、コーナ保持具３０は機器７０の対応するコーナ部に置かれている。コーナ保持具３０は、保護ケース１０の内面と共に保護ケース１０内で機器７０を“グリップ”または保持する。
【００７１】
通常技術者であれば、この使用形態保護ケースが、望みに応じてユーザの腕部、脚部、腿部、荷物、バックパック、医療器具、キッチンハンドル（例：調理アシスト器具）のごときの様々な支持部材に取り付けられることを理解しよう。
【００７２】
図２５は、ユーザの腿部に取り付けられた収納使用状態であるキーボード形態の保護ケース４００の斜視図である。キーボードとしての使用時に、保護ケースの外側面はユーザの腿部に隣接して配置され、外側材料によってユーザの腿部を“グリップ”できる。同様に、ウェブ７５を弾性とすることができ、腿部／支持部に保護ケースをグリップさせる際に補助を提供する。十分な機器の保護能力を提供しながらユーザの腿部、腕部、等々を快適に包めるように保護ケースの外側面を十分にフレキシブルにしていることは、この保護ケースのユニークな特徴である。このことは、腕部または腿部等の包み込みをさせる縦方向の支持部と、縦方向のオプションの保護要素とを有した外側面の使用によって達成されるが、カバーとして使用されるときでも適したスクリーン保護を提供することができる。
【００７３】
図２６で示すように、パネル４０４はイーゼル（画架）形態を提供するように折り畳み線４１０に沿って折り畳める。
【００７４】
図２７から図３０は、本発明による、磁性閉鎖具と引込式運搬ハンドル５６０を備えた収納使用状態の保護ケース５００の別実施例を図示する。前述の実施例と同一材料および構築方法が、引込式ハンドル５６０を含んだこの保護ケースの構築に使用できる。
【００７５】
図示のように、保護ケース５００は保持パネル５０２とカバー５０４を含み、それぞれは外側縁部にオプションのバインディング４０を含む。この実施例では、カバー５０４は仲介ヒンジ具９０によってパネル５０２に取り付けられている。
【００７６】
この実施例では、保持パネル５０２はその構造が保護ケース１００に類似し、周縁部“Ｐ”と、それぞれ対応する前面１２ａと後面１４ａを有する対面する前面部１２と後面部１４とを含み、各コーナ部には保持具３０が配置されている。ここで開示した他の実施例と同様に、保持具３０は実質的に三角形であり、保護ケース５００のコーナ部に位置している。
【００７７】
図示のごとく、カバー５０４は、対面関係にあるカバーパネル５０６とライナーパネル５０８とを含む。この実施例では、カバーパネル５０４は、カバーパネルの対向短縁部から折り畳み線５１０に沿ってカバーパネル５０６とライナーパネル５０８を少なくとも部分的に縫合して形成された４つのポケット部を含む。
【００７８】
カバーパネル５０４はカバーに安定性を提供するために１以上のオプションのインサートも含むことができる。オプションのバインディングを取り付ける作業の前に、４つのオプションのインサート５２０がポケット部に入れられる。オプションのインサートは前述のようにポリカーボネートなどの比較的に軽量で硬質な衝撃抵抗性材料を含むことができる。
【００７９】
カバーパネル５０４は少なくとも１つの保護要素も含むことができ、保護ケースに入れられた機器の前面のために衝撃抵抗性能を提供できる。この実施例は、カバー５０４の対向短縁部間で延伸する２つの方形保護要素５３０を含む。保護要素は多様な材料で形成でき、ライナー材料と共成型することができ、あるいは別々に成型して縫合、接着、溶着、等々の様々な技術によってライナーパネル５０８に取り付けることもできる。この実施例では、保護要素５３０はコーナ保持具およびパネルと同一材料であり、折り畳み線５１０間でライナーパネル５０８に縫合されている。
【００８０】
この実施例では、保護ケースは少なくとも１つの固定具を含み、非使用時にはカバーを閉鎖位置に維持する。例えば、保護ケース５００はオプションで磁性固定具を含む。これは保持パネル５０２から延出するタブ５３０を含む。２つの磁石Ｍ１とＭ２（破線で図示）はタブ５３０内に配置され、保護ケースを磁性閉鎖具によって閉じさせる。２つの追加でオプションの磁石Ｍ３とＭ４（破線で図示）がカバーパネル５０４に提供され、カバーをイーゼル形態に折り畳ませ、磁石が保護ケースをイーゼル形態に維持する。タブ５４０は様々な材料で製造できるが、前述したカバーパネルと同一材料でもよい。この実施例では磁石Ｍは所定位置に縫合されるが、いかなる技術であっても磁石の位置を維持するのに利用できる。
【００８１】
図３１から図３３は、本発明の別実施例によるスリーブ形態の保護ケース６００を図示する。
【００８２】
保護ケース６００は、例えば、相互に鏡像関係であり、互いに取り付けられる２つのパネル２０から構築できる。図示のように、２つのパネル２０は、外側面（後面）１４ａが互いに対面する状態で縫合線に沿って互いに縫合される。図示のように、保護ケース６００は前述の実施例のようにジッパー閉鎖具２５を含むが、前述のような他のタイプの閉鎖具であっても利用することができる。
【００８３】
パネル２０を互いに縫合し、ジッパー２５を取り付けた後で、保護ケースは裏返され、縁部が互いに隣接するように配置されて支持内部バンパー６１０が形成され、溝部６２０は機器（図示せず）を保護ケース６００内に吊るすように設計されている。
【００８４】
通常技術者であれば、前述の材料および技術は、乾燥環境または水中を含んだ湿潤環境にてスクリーンへのアクセスを非妨害状態に保つことができ、保護を必要とする多様な電子機器のための保護ケースの製造に利用できることを理解するであろう。商業レベルの洗濯に耐える性能は、限定はしないが、泥環境、化学品への露出、病院、軍隊、等々を含んだ他の汚染環境に対しても利用できる。通常技術者であれば、前述の技術を他の物品の保護にも利用できるように変更及び／又は他の特徴と組み合わせることができることを理解しよう。
【００８５】
［発明の利点］
本発明の保護ケースは以下の１つ以上の利点を有している：（１）軽量衝撃抵抗を提供すること；（２）保護ケースはフレキシブルであって、１種類の（電子）機器に特化してデザインされている他のタイプの保護ケースとは異なり、異なる寸法の（電子）機器に対しても利用が可能であること；（３）保護パネルと保持具を製造する方法によって経済性が向上していること；（４）単一パネルの軽量である“収納利用式”保護ケースにスクリーンの保護を提供すること；（５）“収納利用式”保護ケースの内側カバーにリニア式保護凹凸メダル形態を提供すること；（６）折り畳みカバーがイーゼル形態を提供すること；（７）クリップ式ストラップエクステンダーが収納利用のための膝ボードを提供すること；（８）クリップ式エクステンダーは、硬質ポートフォリオとは異なり、フレキシブルなパネルと組み合わされると保護ケースをユーザの手足にストラップ掛けさせる膝ストラップを提供すること；（９）フレキシブルパネルは保護ケースを、オーブンパネル（台所補助具）のごとき表示ポール等に取り付けさせること；（１０）保護カバーが、例えば会社のロゴ等を刺繍あるいはエンボス加工するための場所を提供すること；（１１）クリップ式エクステンダーがハンドルを形成またはアクセッサリパウチ等に接続させること；（１２）連続的なクリップ取付部を使用して追加のコンポーネント及び／又はアクセサリー（例：アクセッサリパウチ、フレキシブルなキーボード、フレキシブルなソーラーパネル、ベルクロハンドル等）を保護ケースに取り付けることができること；（１３）エクステンダーのストラップは弾性または剛性とすることができ、長さを調節できること。
【００８６】
なお、“第１”、“第２”等の用語は順番や重要性を表すものではなく、相互に区別するために使用されており、特に言及が無い限り、物品は１個とは限らず、少なくとも１つを指す。同様に“底部”および“上部”とは説明の便宜のために使用されており、場所を限定するものではない。さらに“約”とは、その数値の周辺を指すものである（例：特定数量の測定値に関する誤差を含む）。
【００８７】
化合物は標準用語によって記載されている。例えば、記載した基によって置換されていない任意の位置は、記載された結合によって満たされるか、または水素原子によって満たされた原子価を有するものである。２文字または２記号間には存在しない“−”は、置換基の取り付け位置を示すように使用されている。例えば、−ＣＨＯはカルボニル基の炭素を通じて取り付けられている。特に定義されていない限り、全ての百分率は重量％である。さらに、ここで開示されている全ての範囲は包括的であり、組み合わせが可能である（例：“約２５重量％（ｗｔ％）まで、好適には、約５重量％から約２０重量％まで、さらに好適には、約１０重量％から約１５重量％”までとは、それらの範囲の端位置の数字および中間値を含むものであり、例えば、“約５重量％から約２５重量％まで、約５重量％から約１５重量％”まで、等々）。“±１０％”とは示された測定値が、示された値のマイナス１０％である量からプラス１０％である量までのことである。
【００８８】
最後に、別に定義されていない限り、ここで使用されている技術用語および科学用語は通常技術者が普通に理解する意味を有する。
【００８９】
本発明の開示はいくつかの実施例を利用して説明されているが、専門家であれば、発明の技術範囲から逸脱せずに、それらの要素に様々な変更を加えたり、均等物に置換したりすることが可能であることを理解しよう。さらに、本発明の本質から逸脱せずに、特定状況または材料を本発明の教示に合わせるために多数の改良が施せるであろう。従って、本発明は特定の実施例に限定されず、特許請求の範囲に記載した技術範囲内の全ての実施態様を含むものである。
【図１】
2014523773.tif 000003
【図２】
2014523773.tif 000004
【図３】
2014523773.tif 000005
【図４】
2014523773.tif 000006
【図５】
2014523773.tif 000007
【図６】
2014523773.tif 000008
【図７】
2014523773.tif 000009
【図８】
2014523773.tif 000010
【図９】
2014523773.tif 000011
【図１０】
2014523773.tif 000012
【図１１】
2014523773.tif 000013
【図１２】
2014523773.tif 000014
【図１３】
2014523773.tif 000015
【図１４】
2014523773.tif 000016
【図１５】
2014523773.tif 000017
【図１６】
2014523773.tif 000018
【図１７】
2014523773.tif 000019
【図１８】
2014523773.tif 000020
【図１９】
2014523773.tif 000021
【図２０】
2014523773.tif 000022
【図２１】
2014523773.tif 000023
【図２２】
2014523773.tif 000024
【図２３】
2014523773.tif 000025
【図２４】
2014523773.tif 000026
【図２５】
2014523773.tif 000027
【図２６】
2014523773.tif 000028
【図２７】
2014523773.tif 000029
【図２８】
2014523773.tif 000030
【図２９】
2014523773.tif 000031
【図３０】
2014523773.tif 000032
【図３１】
2014523773.tif 000033
【図３２】
2014523773.tif 000034
【図３３】
2014523773.tif 000035
【国際調査報告】
2014523773.tif 000036